(57)【要約】【課題】複数日付にかかる作業日程スケジュールをカレンダ表示画面上で効率よく設定する。【解決手段】カレンダ表示において、マウス等のポインティングデバイスでドラッグし、矩形領域を設定し、その領域に存在する日付箇所を選択し、当該複数日からなるスケジュールとする。そして、そのスケジュールについて、各種属性プロパティを設定することができる。また、複数月カレンダを並べた場合に、長期にわたり曜日毎のスケジュールを、または、週単位毎のスケジュールを容易に設定できる特長がある。 【選択図】  図１
2014232515.tif 000002
【特許請求の範囲】
【請求項１】
カレンダ表示画面におけるスケジュール設定方法であって、
日付設定モードにおいて、
ポインティングデバイスをドラッグすることで矩形領域を設定するステップと、
その矩形領域を少なくとも一部を含む日付箇所を選択するステップと、
前記日付箇所を強調表示するステップと、
前記日付箇所から構成されるスケジュール情報を記憶するステップと、
を備えることを特徴とするスケジュール設定方法。
【請求項２】
請求項１のスケジュール設定方法において、さらに、
プロパティ設定モードにおいて、前記スケジュール情報のプロパティを編集するステップ
を有することを特徴とするスケジュール設定方法。
【請求項３】
請求項１または請求項２のスケジュール設定方法において、さらに、
個別設定モードにおいて、前記日付箇所を逐一ポインティングデバイスで除外することができるステップ
を有することを特徴とするスケジュール設定方法。
【発明の詳細な説明】
【技術分野】
【０００１】
本願発明は、コンピュータ端末などの表示画面において複数の日付をカレンダから選択してスケジュール情報として編集するためのユーザーインタフェースに関するものである。
【背景技術】
【０００２】
コンピュータ表示画面において、所望の日付をカレンダから選択するための従来の技術として行なわれてきた方法は、表示画面上に日付箇所を表すボタンを並べたカレンダを用意し、マウス、タッチパネルその他のポインティングデバイスで当該ボタンを押すことによって、その日付をスケジュール対象とする。または、開始日と終了日をダイアログで指定する方法もある。このように選択された日付について画面のカレンダ以外の場所に表示するか、またはボタンの表示態様を変化させるなどしていた。
【０００３】
特に、スケジュール対象とされた日付をリストで表示する方法では、表示する画面面積の制約などによって種種の不都合があった。そのため、選択された日付が表示されていない月のカレンダに存在する場合でも、すべての日付の選択状態をもれなく表示することが可能なカレンダ表示装置および方法が提案されている（特許文献１）。
【０００４】
しかしながら、このように日付リストの表示方法には相当の工夫がされているにもかかわらず、日付そのものの選択方法は、上記のとおり日付ボタンを逐一クリック選択・非選択を繰り返す必要等があり、複数日付、特に連続日にかかる場合には、煩に耐えない場合があった。
【先行技術文献】
【特許文献】
【０００５】
【特許文献１】特開２００１−１６６６８８号公報
【発明の概要】
【発明が解決しようとする課題】
【０００６】
本願発明は、複数の日付設定に操作性向上のための方策を提案するものである。
【０００７】
特に、複数日にかかる作業日程スケジュールをカレンダ上で効率よく設定することを課題とし、カレンダ表示画面の週単位、曜日の配列などの特性に着目して、連続的な日付を簡易な操作で設定することを可能にするものである。
【課題を解決するための手段】
【０００８】
本願発明は、カレンダ表示画面におけるスケジュール設定方法であって、
日付設定モードにおいて、
ポインティングデバイスをドラッグすることで矩形領域を設定するステップと、
その矩形領域を少なくとも一部を含む日付箇所を選択するステップと、
それら日付箇所を強調表示するステップと、
それら日付箇所から構成されるスケジュール情報を記憶するステップと、
を備えることを特徴とするスケジュール設定方法である。
【０００９】
さらに、本願発明は、プロパティ設定モードにおいて、前記スケジュール情報のプロパティを編集するステップを有すること、また、個別設定モードにおいて、前記日付箇所を逐一ポインティングデバイスで除外することができるステップも有することを特徴とするスケジュール設定方法である。
【発明の効果】
【００１０】
このように、本願発明によれば、該当の日付を含む領域をポインティングデバイスで一括的に指定するため、逐一に日付ボタンをクリックする必要がなく、作業効率がよい。
さらに、その一連の日程のなかで除外すべき日付などがある場合に、プロパティ（属性）画面などにより変更設定が可能である。または、日付ボタンをポインティングデバイスで個別にクリックすることで調整できて、操作性がよい。
【図面の簡単な説明】
【００１１】
【図１】本願発明のカレンダ表示画面とポインティング操作の概要を示す図
【図２】本願発明のカレンダ表示画面におけるスケジュール日付箇所を示す図
【図３】本願発明のカレンダ表示画面におけるスケジュール日付の個別解除を示す図
【図４】本願発明の設定されたスケジュールにかかるプロパティ設定ウインドウの例
【図５】本願発明のスケジュール方法の処理フロー
【図６】本願発明の設定されたスケジュール情報の記憶／保存を示す図
【図７】本願発明のその他の実施例を示す図
【発明を実施するための形態】
【００１２】
はじめに、表示画面そのものは、本願発明を限定するものではないが、二次元形状のパーソナルコンピュータの端末やタブレット形式のディスプレイ画面である。画面上でカレンダ表示ができるものであればよい。カレンダ表示は、月単位で表示されることを基本とするが、複数月を並べて表示することもある。そのため、月を順次進める、或いは遅らすなどの操作機能も当然備えることにあるが、本願発明に直接関係はないため、その旨の説明については特に述べないことにする。
【００１３】
［１］それでは、本願発明の実施について、図を基に説明していく。
まず、図１は、本願発明のカレンダ表示画面とポインティング操作の概要を示す図であり、１００がカレンダであって、ひと月のレイアウトをもつ。本例では、２０１３年６月を例にとって、週初めを日曜日にしている。日付は桝目で区切られているように、それぞれの日付は自己の領域（以降は日付箇所と呼ぶ）を持つ。６月１日では図示のように日付箇所は１０１である。
【００１４】
１．日付設定モード
ポインティングデバイスで、１０日の日付箇所内（Ｐ１）にポイントＯＮする。（マウスで言えば左ボタン押し下げが該当する、タッチパッドで言えば、タッチ継続となる）そのままポインティングデバイスをリリースせずに勾引して、２１日の日付箇所内（Ｐ２）までドラッグする。そしてポインティングデバイスをリリースする。
その間のドラッグにより矩形領域１０が破線で示すように設定され表示される。
【００１５】
このドラッグ動作によって、当該１０日から１４日、および１７日から２１日の１０日分の日付箇所が選ばれる。なお、矩形領域１０を一部に含む日付箇所が選択された日付とした。図２に示すように、選択された日付箇所はスケジュール日付箇所表示２０となり、強調的な表示が行なわれる。図のように、反転表示でもよいし、日付そのものの色を変える、点滅させる、または日付箇所を３次元的な凹凸表示の切替でもよい。
【００１６】
２．プロパティ設定モード
本スケジュール日付箇所表示２０について、詳細な設定が必要な場合に応じて、プロパティ設定ウインドウ４０が適宜呼び出されて、プロパティが設定変更できる（図４）。
このウインドウはカレンダ表示に併記、またはオーバーラップなどして表示することでよい。土日、休日にかかる設定、月初日（１日）を除く設定など、および、当該日の作業時間の設定ができる。その他、作業内容にかかる種種の指示コメント事項の書き込みができる。
【００１７】
３．個別設定モード
スケジュール日付箇所表示２０のうち、個別に作業休業日などの事由がある場合に備えて、本スケジュールから容易に除外することができるようにする。図３のとおり、ポインティングアイコン３０を当該日の日付箇所に合わせて、クリック等すれば当該日（図３では１７日）を除外できる。
【００１８】
［２］次に、本願発明の処理フローを図５で説明する。
始めに、基本設定として、カレンダ自身についての設定はある。月間カレンダとして週始めが日曜か月曜であるか、土日、休祭日の設定などデフォルト的な設定である。このデフォルト設定は各種プロパティのベースとなるものだが、特段の説明は省略する。
そして、カレンダ表示を行なう（図中ステップＳ０１）。このように表示はカレンダ上にある日付に設定されたスケジュールがあれば、それらに関する表記も重ねて行なう。
【００１９】
ステップＳ０２で日付設定モードに入るかどうか判断する。これは明示的に画面上モード設定スイッチなどで行なってもよいし、ポインティングデバイスのカレンダ上への直接の操作で自動判断してもよい。
そして、日付設定モードに入る（Ｓ１０）と、ポインティングデバイスのドラッグ動作があれば、それによる矩形領域情報を取得する（Ｓ１１）。
引き続いて、矩形領域に該当する日付箇所を判断して、強調表示する（Ｓ１２）。
【００２０】
次に、ステップＳ０３から、プロパティ設定モードに入るかどうかを判断する。これは、直前または個別選択されたスケジュールについて、適宜オペレーション（例えば、モード切替スイッチ、またはスケジュール日付箇所表示２上でのマウス右クリックなどが考えられる）によって、プロパティ設定モードに入る（Ｓ２０）。
ここでは、選択されたスケジュールにかかるプロパティ設定処理を行なう（Ｓ２１）。
具体的には、図４のプロパティ設定ウインドウでの操作設定による。
【００２１】
上の二つのモード以外は、別途個別の設定モードとしており（Ｓ３０）、例えば個別日付にかかる操作（Ｓ３１）である場合は、該当日付を変更処理して、スケジュールから除外して強調表示解除すること（Ｓ３２）などである。個別設定モードでは、このほかにも多くの事項が予定される（右端の点線部フロー）。
【００２２】
上記の各モードの実行後は共通に、スケジュール情報の記憶ステップ（Ｓ４０）を実行することになる。スケジュール情報とは、スケジュール単位（Ｉｔｅｍ）でプロパティを配列構造で記憶さらに保存するデータベース構造となる（図６参照）。
これが、ランタイムでスケジュール遂行に資するものになるが、ランタイムの遂行処理については、本願発明の対象外となるためこれ以上は述べない。
【００２３】
［３］その他の実施例を、図７で簡単に述べる。
複数の月カレンダを並べて、月を跨いでも、本願発明を実施できる例である。
図７左欄のように縦に並べた場合には、ドラッグ動作で矩形領域１１を指定すれば、毎週水曜と木曜の日付箇所が選択できて、毎水木のスケジュールが複数月に渡り立てられる。
一方、図７上段のように横に並べた場合には、ドラッグ動作で矩形領域１２を指定すれば、第３週および第４週にかかる日付箇所が選択できて、当該週のスケジュールが複数月に渡り立てられる。このようにカレンダ（月）の構成の変更によって、種種の応用が可能である。
【産業上の利用可能性】
【００２４】
建物空調設備などの、定期的点検スケジューリングなどに役立てることができる。
特に、空調制御の時間外運転予約機能で予約対象の日を選択する手段に有用である。
【符号の説明】
【００２５】
１０  ドラッグ矩形領域
２０  スケジュール日付箇所表示
３０  ポインティングアイコン
４０  プロパティ設定Ｗｉｎｄｏｗ
１００  カレンダ（月）
１ｎｎ  日付箇所枠体（ｎｎは０１から３１）
【図１】
2014232515.tif 000003
【図２】
2014232515.tif 000004
【図３】
2014232515.tif 000005
【図４】
2014232515.tif 000006
【図５】
2014232515.tif 000007
【図６】
2014232515.tif 000008
【図７】
2014232515.tif 000009